(57)【要約】      （修正有）【課題】ファッションリングの製作に当たり、接着剤等を予め用意することなく、接着剤を具備せしめた紙または合成樹脂フィルムの単体を提供する。【解決手段】ファッションリング製作用紙または合成樹脂フィルムは、所要の幅と長さを有する短冊状の紙または合成樹脂フィルムの一端部の一方の面に接着剤を塗布し、該接着剤の塗布部に保護用の剥離紙を添着せしめたこと。短冊状のフィルムによってリングを製作しようとするときは、剥離紙を剥し一端部に設けられた接着部に他方の端部を接着することにより容易にリングが形成でき、しかも、リングの形成に当たり特に糊等の接着剤を準備する必要がなく、また、手を汚す恐れもなく、きわめて衛生的である。【選択図】図１
0003122687.tif 000002
【実用新案登録請求の範囲】
【請求項１】
所要の幅と長さを有する短冊状の紙または合成樹脂フィルムの一端部の一方の面に接着剤を塗布し、該接着剤の塗布部に保護用の剥離紙を添着せしめたことを特徴とするファッションリング製作用紙または合成樹脂フィルム。
【請求項２】
所要長さを有する短冊状の紙または合成樹脂フィルムの一端部の一方の面に両面テープの一面を接着し、前記両面テープの他面に保護用の剥離紙を添着せしめたことを特徴とするファッションリング製作用紙または合成樹脂フィルム。
【考案の詳細な説明】
【技術分野】
【０００１】
本考案は、ファッションリングを製作するための短冊状の単体であり、さらに詳細には、ファッションリングを容易に製作するための紙または合成樹脂フィルムに関する。
【背景技術】
【０００２】
従来のこの種ファッションリングの製作に当たっては折り紙等を細幅の短冊状に切断し、その一方の端部に糊を付着せしめ、該糊部に他方の端部を接着せしめてリング状に形成するようにしていた。そして、このように折り紙の工作に当たり接着のために糊を必要とすることより、折り紙と工作用糊及び折り方の説明資料をセットとして用意するものが提案されている(特許文献１参照)。
【特許文献１】登録実用新案第３０８７５０３号公報
【０００３】
しかしながら、接着用の糊を用いて折り紙等の工作を小児が行うとすると指先等に糊が付着し、付着した糊が他の部分に付着してその部を接着することがあり、また、前記の付着によって手を汚し、あるいは汚した手の洗浄等常に衛生上の問題を考慮しなければならないという問題を有していた。
【考案の開示】
【考案が解決しようとする課題】
【０００４】
上記した方法によるファッションリングの製作には常に糊を準備する必要があるとともに、前記した糊による手等の汚れに対する衛生上の問題を考慮する必要があった。 そこで、本考案は、接着に当たり糊剤を準備することなく予め端部に接着剤を付着せしめ、該接着剤による他部に対する影響を防止したファッションリング製作用紙または合成樹脂フィルムの提供を目的とするものである。
【課題を解決するための手段】
【０００５】
本考案に係るファッションリング製作用紙または合成樹脂フィルムは、前記の目的を達成するために、所要の幅と長さを有する短冊状の紙または合成樹脂フィルムの一端部の一方の面に接着剤を塗布し、該接着剤の塗布部に保護用の剥離紙を添着せしたことをその特徴とし、また、所要長さを有する短冊状の紙または合成樹脂フィルムの一端部の一方の面に両面テープの一面を接着し、前記両面テープの他面に保護用の剥離紙を添着せしめたことをその特徴とするものである。
【考案の効果】
【０００６】
本考案に係るファッションリング製作用紙または合成樹脂フィルムは、短冊状の紙または合成樹脂フィルムの一端部の一方の面に接着剤を塗布し、該接着剤の塗布部に保護用の剥離紙を添着したので、短冊状のフィルムによってリングを製作しようとするときは、剥離紙を剥し一端部に設けられた接着部に他方の端部を接着することにより容易にリングが形成でき、しかも、リングの形成に当たり特に糊等の接着剤を準備する必要がなく、また、手を汚す恐れもないものである。また、接着剤が付着された部分は剥離紙によって保護されているので、接着剤によって他の物体に接着する恐れもない。
【０００７】
また、短冊状の紙または合成樹脂フィルムの端部の一方の面に両面テープの一面を接着し、該両面テープの他面に剥離紙を添着したものにおいては、剥離紙を剥すことによって両面テープの接着面が現れるので、該接着面によって短冊状フィルムの他端部を接着することができ、リングの製作が容易となるばかりでなく、糊等の接着剤を用意する必要がないという利便性を有するものであり、また、手などの汚染の恐れもなくきわめて衛生的である。
【考案を実施するための最良の形態】
【０００８】
本考案のファッションリング製作用紙または合成樹脂フィルムの第一の実施形態を説明すると、図１において、１は紙または合成樹脂フィルムであり、該紙または合成樹脂フィルムは、所要の長さと幅を有する短冊状であり、その一端部２の一方の面に接着剤が塗布された接着部３が設けられている。４は前記接着部３に添着される剥離紙であり、該剥離紙４によって他の物体に対する接着作用を防止するものである。
【０００９】
前記したファッションリング製作用紙または合成樹脂フィルムＡによってリングＲを形成するには、紙または合成樹脂フィルム１の一端部２の一方の面に塗布されている接着部３を保護する剥離紙４を剥し、接着部を露出させ、該接着部３に紙または合成樹脂フィルム１の他方の端部５を接着させることにより容易にリングＲが形成できる。このように一つのリングが形成されたとき別のファッションリング製作用紙または合成樹脂フィルムＡの端部５を先に形成したリングＲの輪の中を潜らせ、潜らせた前記端部を輪の外側において接着部３が設けられている端部２の剥離紙４を剥して他方の端部を接着させることによりリングが組み合わされる。このような作業を繰り返すことにより多数の組み合わされたリングにより所望の長さの装飾体が得られる。
【００１０】
前記した合成樹脂フィルム１はポリ塩化ビニール、ポリプロピレン、ポリエチレンテレフタレートであってもよく、特に限定されるものでなく、また、透明のものでも着色されたものでもさらに、アルミ蒸着されたものであっても良く、特に限定されるものでない。また、表裏の模様を変えたフィルムを使用することにより、それぞれ表裏の組み合わせを変えた多数のリングを組み合わせることにより希望の装飾体を得ることができる。
【００１１】
本考案の第二の実施態様を説明するが、第一の実施態様と同一部材は同一の符号で説明する。第二の実施態様は、図2に示すように、所要の長さ及び幅を有する紙または合成樹脂のフィルム１の一端部２の一方の面に両面に接着面を備えた両面テープ６の一方の面７を接着せしめてフィルム１に固着し、該両面テープ６の他方の接着面８に剥離紙４を添着する。このように構成することで接着剤を用いることなく接着部を構成することができる。
【００１２】
上記の第二の実施態様によるときは、剥離紙４を剥し、フィルム１の両面テープ６が付着されない端部５を両面テープ６の接着面８に接着させてリングＲを作成するようにする。このように一つのリングが形成されたとき別のファッションリング製作用紙または合成樹脂フィルムＡの端部５を先に形成したリングＲの輪の中を潜らせ、潜らせた前記端部を輪の外側において一方の端部２に付着されている剥離紙４を剥し両面テープ６の接着面８を露出させ、前記の潜らせた端部を接着させることによりリングが組み合わされる。このような作業を繰り返せば必要とするリング状の輪が多数形成でき必要な長さの装飾体が作成することができる。
【００１３】
上記第二の実施の態様においても、前記第一の実施の態様と同様に合成樹脂の材質等には特に限定はなく、どのようなものでも差し支えない。また、第一及び第二の実施態様において、剥離紙４の大きさを接着部３あるいは両面テープ６より少しばかり大きめとし、剥離紙４の端部が接着部３あるいは両面テープ６よりはみ出し部９を設けておくことにより、該はみ出し部９を指等で摘むようにすれば、薄利紙４を容易に剥がすことができる。
【００１４】
第一及び第二の実施の形態においては、合成樹脂フィルムを一枚のものとして説明したが、一枚に限定されるものでなく、複数枚の合成樹脂フィルムをラミネートしたものを用いることもでき、このようにラミネートされた合成樹脂フィルムを用いることにより一層おもしろみのあるリングの製作が可能となるものである。
【図面の簡単な説明】
【００１５】
【図１】第一実施態様の断面図と一部拡大図
【図２】第二実施態様の断面図と一部拡大図
【図３】ファッションリング装飾体
【符号の説明】
【００１６】
Ａ  ファッションリング製作用紙または合成樹脂フィルム
１  合成樹脂フィルム
３  接着部
４  剥離紙
【図１】
0003122687.tif 000003
【図２】
0003122687.tif 000004
【図３】
0003122687.tif 000005